(57)【特許請求の範囲】
【請求項１】
建築物のアスベスト施工面を、厚膜シートと薄膜シートとを剥離自在に張り合わせた積層養生シートで養生して負圧施工区画を形成する養生工程と、
前記負圧施工区画内で前記アスベスト施工面のアスベストを除去した後に、前記積層養生シートにおける、除去中に飛散した前記アスベストが付着した前記薄膜シートを前記厚膜シートから剥がして、この厚膜シートをロール状に巻き取りながら回収するシート回収工程と、
負圧状態に維持管理される洗浄室内で、ロール状に巻き取られた前記厚膜シートを巻戻しながら連続搬送させ、この連続搬送中に表裏面を洗浄し、その後ロール状に巻き取る洗浄工程と、
洗浄済みの厚膜シートを破砕する破砕工程と、を含むことを特徴とするアスベスト処理における養生シートの再生方法。
【発明の詳細な説明】
【技術分野】
【０００１】
本発明は、アスベスト等を除去して廃棄物処理する際に、アスベスト施工面を養生した養生シートを再生するためのアスベスト処理における養生シートの再生方法に関する。
【背景技術】
【０００２】
建築物の解体、建築物の内装材除去などを行う際に、発生するアスベスト等の粉塵が施工区域外に飛散することを防止するため、その施工区画をプラスチック製の養生シートによって覆って養生し、この施工区画内部を負圧に維持して施工区画外への粉塵の飛散を防止するようにした負圧施工区画が知られている。（例えば特許文献１）。
【０００３】
【特許文献１】特開平９−２７９８６１号公報
【発明の開示】
【発明が解決しようとする課題】
【０００４】
特許文献１の負圧施工区画に使用される養生シートは、アスベスト除去作業が終了した後には、アスベストが付着していることにより、アスベスト自体と同じように、特別管理産業廃棄物として処理しなければならず、廃棄量が増長する問題を有し、しかも一般廃棄物とは違い、特別管理産業廃棄物として処理するために、その処理コストが一般廃棄物の１０倍以上となる問題を有している。
【０００５】
本発明の課題は、アスベスト除去にともなって発生する特別管理産業廃棄物の廃棄量を減容させるとともに、特別管理産業廃棄物からリサイクル可能な資源形態に戻すようにしたアスベスト処理における養生シートの再生方法を提供することにある。
【課題を解決するための手段及び発明の効果】
【０００６】
本発明のアスベスト処理における養生シートの再生方法は、建築物のアスベスト施工面を、厚膜シートと薄膜シートとを剥離自在に張り合わせた積層養生シートで養生して負圧施工区画を形成する養生工程と、負圧施工区画内でアスベスト施工面のアスベストを除去した後に、前記積層養生シートにおける、除去中に飛散したアスベストが付着した薄膜シートを厚膜シートから剥がして、この厚膜シートを回収するシート回収工程と、負圧状態に維持管理される洗浄室内で、厚膜シートの表裏面を洗浄する洗浄工程と、洗浄済みの厚膜シートを破砕する破砕工程と、を含むことを特徴とする。
【０００７】
上記のように構成したことにより、破砕工程で得られた厚膜シートの破砕物は、アスベストを含まないことによって、特別管理産業廃棄物からリサイクル可能な資源形態に再生される。また、積層養生シートの薄膜シートのみを特別産業廃棄物として処分すればよく処理コストや廃棄量の低減（減容）を図ることができる。また、洗浄工程は積層養生シートの厚膜シートのみを洗浄するため、洗浄フィルタ交換や、洗浄廃液処理の負荷が小さく効率よく洗浄できる。また、厚膜シートは粉砕されるため、回収・搬送が容易となり、かつプラスチック原料としてのペレット化するための溶融効率を高くできる。
【０００８】
また、シート回収工程は厚膜シートをロール状に巻き取りながら回収することを特徴とするので、厚膜シートはロール状の最外周面で、そのシート面が露出する形態で回収できるため、ロール状への回収作業中で浮遊するアスベストがシート面に再付着しても、その付着領域の一部分の露出（最外周面）で済むことにより、二次飛散を低減できる。しかも、回収形態はロール状であるため、その取り扱い（保管、搬送など）が容易となる。
【０００９】
また、洗浄工程は、ロール状に巻き取られた厚膜シートを巻戻しながら連続搬送させ、この連続搬送中に表裏面を洗浄し、その後ロール状に巻き取ることを特徴とするので、連続搬送中に表裏面を同時に洗浄できるため、効率的に洗浄できる。また、洗浄済みの厚膜シートはロール状に巻き取られるため、その取り扱い（保管、搬送など）が容易となる。
【発明を実施するための最良の形態】
【００１０】
以下、本発明の実施の形態を図面に示す実施例を参照して説明する。図１は、本発明に係るアスベスト処理における養生シートの再生方法の工程図である。図１において、養生シートの再生方法は、養生工程、シート回収工程、表面洗浄工程、破砕工程の各工程を通して行われる。
【００１１】
まず、養生工程としては図２に示すように、建築物１の天井１ａ側には、アスベストを含む吹付材が施工されている。この吹付材によって施工されたアスベスト施工面１ｂを、養生シートとしての積層養生シート２で覆って養生して負圧施工区画３を形成している。また、この負圧施工区画３の内部区域をＨＥＰＡフィルター（High  Efficiency  Particulate  Air  Filter）を内蔵した換気集塵装置４によって、外部に対して負圧状態とするように維持管理している。この負圧状態は図示しない差圧計で常時計測管理する。なお、ＨＥＰＡフィルターにおける微粒子の捕集は、「濾遇(ふるい効果)」、「慣性(衝突)」、「さえぎり(静電吸着)」、「拡散(ブラウン運動)」の原理を応用しており、最も捕りにくいとされる０．３ミクロンの粒子を９９．９７％以上捕集できるものである。
【００１２】
この積層養生シート２は、所定幅の帯状シートがロール状に巻かれたものが使用され、この積層養生シート２を床面１ｃ、壁面１ｄに設けている。この積層養生シート２は、隣り合うシートを部分的に重ね合わせて図示しない粘着テープなどによって接合して気密性を備えさせる。
【００１３】
積層養生シート２は、図３に示すようにプラスチックとしてのポリエチレンテレフタレート（ＰＥＴ樹脂）によってシート成形される厚膜シート２ａと、この厚膜シート２ａと同様な材質によってシート成形される薄膜シート２ｂとからなり、この両シートを、剥離自在に粘着させるように張り合わせている。この厚膜シート２ａの厚みとして、本例ではアスベスト処理のために規制されるように、床面１ｂに使用する場合は、厚さ０．１５ｍｍ以上で、壁面１ｃに使用する場合は、厚さ０．０８ｍｍ以上のものが使用される。また、薄膜シート２ｂの厚みとしては、本例では、厚膜シート２ａの厚みよりも１／６程度薄くした、０．０２５ｍｍのものが使用される。
【００１４】
シート回収工程は、養生工程後に行われるアスベスト除去工程の後に行われる。このアスベスト除去工程は、負圧施工区画３に入った作業者が防護服を着用した状態でアスベスト施工面１ｂにおけるアスベストを含有する吹付材などを、ヘラ、ケレン棒などの手工具、高圧水によるウオータージェット、あるいはドライアイス粒を噴きつけるドライアイスブラストなどの各種剥離手段(図示せず)によって、剥離して除去する作業が行われる。
【００１５】
このアスベスト除去後に、その積層養生シート２におけるアスベストが付着した薄膜シート２ｂを、図４に示すように、アスベストが二次飛散しないように丁寧に剥がしながら専用のプラスチック製の回収袋Ｂによって二重梱包する。この二重梱包された薄膜シート２ｂは最終的に特別管理産業廃棄物として処分される。この薄膜シート２ｂは薄い（本例では厚み０．１５ｍｍの厚膜シート２ａの１／６）ため、廃棄容量も１／６に減容することができる。そして、薄膜シート２ｂが分離された厚膜シート２ａをロール状に巻き取りながら回収することによるシート回収工程を行う。
【００１６】
つぎに、表面洗浄工程は、図５に示すように、負圧施工区画３と同様に負圧状態に維持管理される洗浄室５内で行われる。この洗浄室５内には搬送される厚膜シート２ａの表裏面に洗浄液を噴射して、付着する異物を除去するための洗浄装置６が設けられる。
【００１７】
この洗浄装置６の搬入側にはロール状に巻き取られた厚膜シート２ａを回転自在に支承するロール支持部６ａが設けられる。他方、搬出側には、洗浄されて乾燥処理された厚膜シート２ａを、図示しないモータなどの駆動装置で巻き取るための巻取りロール軸６ｂが設けられる。そして、厚膜シート２ａは、その搬送工程中で、ノズル６ｃから噴出させる水などの洗浄液によって表裏面の異物が取り除かれて洗浄され、その後、乾燥部６ｄによって乾燥処理されて巻取りロール軸６ｂに洗浄済みの厚膜シート２ａとして巻き取っている。なお、厚膜シート２ａの洗浄状態については、洗浄済みの厚膜シート２ａからサンプルを採取して異物（アスベストも含む）の有無を確認している。
【００１８】
つぎに破砕工程としては、図６に示すように、巻取りロール軸６ｂから外されたロール状の厚膜シート２ａを例えば輪切りに裁断した後、この輪切り状の厚膜シート２ａを、破砕機７のホッパ７ａ内の投入する。投入された厚膜シート２ａは、固定刃７ｂと回転刃７ｃとの協働によって細かく破砕され、破砕物収容容器７ｄ内に回収させている。
【００１９】
このように、破砕工程で得られた厚膜シート２ａの破砕物は、アスベストを含まないことによって、特別管理産業廃棄物からリサイクル可能な資源形態に再生することができる。さらに、周知であるため詳細は省略するが、この破砕物をエレマ発熱体によって溶融させ、ペレット状に成形して再生ＰＥＴ樹脂原料として使用する。
【図面の簡単な説明】
【００２０】
【図１】本発明のアスベスト処理における養生シートの再生方法の工程図。
【図２】負圧施工区の構造を示す模式図。
【図３】積層養生シートの断面図。
【図４】シート回収工程の模式図。
【図５】表面洗浄工程の模式図。
【図６】破砕工程の模式図。
【符号の説明】
【００２１】
１          建築物
１ａ        アスベスト施工面
２          積層養生シート
２ａ        厚膜シート
２ｂ        薄膜シート
３          負圧施工区画
５          洗浄室
【要約】
【課題】  特別管理産業廃棄物の廃棄量を減容させ、リサイクル可能な資源形態に戻すようにしたアスベスト処理における養生シートの再生方法を提供する。
【解決手段】  厚膜シート２ａと薄膜シート２ｂとを剥離自在に張り合わせた積層養生シート２で養生して負圧施工区画３を形成する養生工程と、負圧施工区画３内でアスベスト施工面１ａのアスベストを除去した後に、薄膜シート２ｂを厚膜シート２ａから剥がして、この厚膜シート２ａを回収するシート回収工程と、負圧状態に維持管理される洗浄室５内で、厚膜シート２ａの表裏面を洗浄する洗浄工程と、洗浄済みの厚膜シート２ａを破砕する破砕工程と、を含むことを特徴とする。
【選択図】  図１【図１】
0004059917.tif 000002
【図２】
0004059917.tif 000003
【図３】
0004059917.tif 000004
【図４】
0004059917.tif 000005
【図５】
0004059917.tif 000006
【図６】
0004059917.tif 000007